【事件の表示】
　特願２００５−５０５９９９「ＥＬ表示装置、およびＥＬ表示装置の駆動方法」拒絶査定不服審判事件〔平成１６年１１月１８日国際公開、ＷＯ２００４／１００１１８〕について、次のとおり審決する。
【結　論】
　本件審判の請求は、成り立たない。
【理　由】
第１　手続きの経緯
　本願は、平成１６年４月２８日を国際出願日とする特許出願（優先権主張２００３年５月７日、２００３年７月１８日、２００４年２月２０日、いずれも日本国）であって、その後の手続きの経緯は以下のとおりである。
　平成１９年　８月２４日　拒絶理由通知（同年８月２８日発送）
　平成１９年１０月２６日　意見書・手続補正書
　平成２０年　４月　３日　拒絶理由通知（最後）（同年４月８日発送）
　平成２０年　６月　５日　意見書・手続補正書
　平成２０年１０月１７日　平成２０年６月５日付け手続補正の却下の決定、拒絶査定（同年１０月２１日送達）
　平成２０年１１月１９日　本件審判請求
　平成２０年１２月　５日　手続補正書
　平成２２年　４月１６日　審尋（同年４月２０日発送）
　平成２２年　６月　８日　回答書　
　
第２　平成２０年１２月５日付けの手続補正の却下の決定
［補正却下の決定の結論］
　平成２０年１２月５日付けの手続補正（以下「本件補正」という。）を却下する。
　
［理由］
１　本件補正の概要
　本件補正は、補正前の特許請求の範囲（平成２０年６月５日付けの手続補正は、平成２０年１０月１７日付けの補正の却下の決定で却下されているので、平成１９年１０月２６日付け手続補正で補正した特許請求の範囲である。）の請求項１−４、６−１２を、新たな特許請求の範囲の請求項１−１１にすると共に、補正前の特許請求の範囲の請求項５を削除する補正である。そして、本件補正のうち、特許請求の範囲の請求項１についての補正は、補正前に、
 　 
 「ＥＬ素子を有する画素がマトリックス状に配置された表示画面を有するＥＬ表示装置の駆動方法であって、
　前記ＥＬ表示装置の前記画素に印加する信号を発生させる画像データを用いて点灯率を求め、
　前記点灯率に対応させて、ｄｕｔｙ比を変化させることを特徴とするＥＬ表示装置の駆動方法。」
　
とあったものを、
　
「ＥＬ素子を有する画素がマトリックス状に配置された表示画面を有するＥＬ表示装置の駆動方法であって、
　前記ＥＬ表示装置の前記画素に印加する信号を発生させる画像データ
を前記画素の色で重み付けして
　前記点灯率に対応させて、
１フレーム期間における前記ＥＬ素子に電流が流れる時間
　
前記１フレーム期間における前記ＥＬ素子に電流が流れる第１の時間から、１フレーム期間における前記ＥＬ素子に電流が流れる第２の時間に変化させるとき、１フレーム期間における前記ＥＬ素子に電流が流れる時間として、前記第１の時間と前記第２の時間との間にある時間を経由す
、
　
にする補正である。上記請求項１についての補正は、以下の（補正事項１）〜（補正事項３）からなる。
　（補正事項１）：補正前に「前記ＥＬ表示装置の前記画素に印加する信号を発生させる画像データを用いて点灯率を求め、」とあったものを、「前記ＥＬ表示装置の前記画素に印加する信号を発生させる画像データを前記画素の色で重み付けして用いて点灯率を求め、」にする補正事項。
　（補正事項２）：補正前に「前記点灯率に対応させて、ｄｕｔｙ比を変化させる」とあったものを、「前記点灯率に対応させて、１フレーム期間における前記ＥＬ素子に電流が流れる時間を変化させ、前記１フレーム期間における前記ＥＬ素子に電流が流れる第１の時間から、１フレーム期間における前記ＥＬ素子に電流が流れる第２の時間に変化させるとき、１フレーム期間における前記ＥＬ素子に電流が流れる時間として、前記第１の時間と前記第２の時間との間にある時間を経由する」ことにする補正事項。
　（補正事項３）補正前に「…を特徴とするＥＬ表示装置の駆動方法。」とあったものを、「…を特徴とする、ＥＬ表示装置の駆動方法。」にする補正事項。
　
２　補正の目的
　上記（補正事項１）〜（補正事項３）について、補正の目的を検討する。
　（補正事項１）：点灯率を求める際に用いる「前記ＥＬ表示装置の前記画素に印加する信号を発生させる画像データ」について、「画素の色で重み付け」して用いるものに限定する補正事項であるから、特許請求の範囲の減縮を目的とするものに該当する。
　（補正事項２）：点灯率に対応させて変化させる対象を、「ｄｕｔｙ比」から「１フレーム期間における前記ＥＬ素子に電流が流れる時間」にする補正は、明りようでない記載の釈明を目的とするものに該当する。また、「前記１フレーム期間における前記ＥＬ素子に電流が流れる第１の時間から、１フレーム期間における前記ＥＬ素子に電流が流れる第２の時間に変化させる」態様として、「１フレーム期間における前記ＥＬ素子に電流が流れる時間として、前記第１の時間と前記第２の時間との間にある時間を経由する」事項を追加することは、特許請求の範囲の減縮を目的とするものに該当する。
　（補正事項３）：「特徴とする」と「ＥＬ表示装置」の間に、語句の断続を明らかにする読点を追加する補正事項であり、明りようでない記載の釈明を目的とするものに該当する。
　
　以上のとおり、本件補正のうち、特許請求の範囲の請求項１についての補正は、上記（補正事項１）、（補正事項２）の点で、平成１８年法律第５５号改正附則第３条第１項によりなお従前の例によるとされる同法による改正前の特許法（以下「平成１８年改正前特許法」という。）第１７条の２第４項第２号に規定する特許請求の範囲の減縮を目的とする補正事項を含む。そこで、本件補正後の特許請求の範囲の請求項１に係る発明（以下「本願補正発明」という。）が、特許出願の際独立して特許を受けることができるものであるか（平成１８年改正前特許法第１７条の２第５項において準用する同法第１２６条第５項に規定する要件を満たすか）否かについて検討する。
　
３　独立特許要件の検討
３−１　本願補正発明
　本願補正発明は、本件補正後の特許請求の範囲の請求項１に記載された事項により特定される次のとおりのものである。
　
「ＥＬ素子を有する画素がマトリックス状に配置された表示画面を有するＥＬ表示装置の駆動方法であって、
　前記ＥＬ表示装置の前記画素に印加する信号を発生させる画像データを前記画素の色で重み付けして用いて点灯率を求め、
　前記点灯率に対応させて、１フレーム期間における前記ＥＬ素子に電流が流れる時間を変化させ、
　前記１フレーム期間における前記ＥＬ素子に電流が流れる第１の時間から、１フレーム期間における前記ＥＬ素子に電流が流れる第２の時間に変化させるとき、１フレーム期間における前記ＥＬ素子に電流が流れる時間として、前記第１の時間と前記第２の時間との間にある時間を経由することを特徴とする、ＥＬ表示装置の駆動方法。」
　
３−２　引用刊行物とその記載事項
　原査定の拒絶の理由に引用され、本願の最先の優先日（２００３年５月７日）前に頒布された刊行物である特開２００２−１８２６１２号公報（以下「引用刊行物」という。）には、図面と共に、以下の記載がある。
　
（ア）「【０００１】
【発明の属する技術分野】本発明は、有機ＥＬ素子を発光素子とする表示パネルに、入力ビデオ信号に対応する画像の表示を行う画像表示装置に関する。」
　
（イ）「【０００４】
【発明が解決しようとする課題】この種の薄膜有機ＥＬ素子での開発課題の一つに階調表示の問題があり、従来の方法では、入力ビデオ信号の信号レベルを検出し、検出レベルに対応して表示に最適な信号レベルを予め設定しておき、該信号レベルで画像表示に使用する薄膜有機ＥＬ素子を、所定時間の間発光させることにより画像表示を行っていた。
【０００５】この従来の階調表示の方法では、標準光源下での標準対象物に対応して、通常の正規的信号レベル分布を有する入力ビデオ信号に対しては、最適の信号レベルでの画像表示が行われるが、信号レベルが偏っている場合、例えば、入力ビデオ信号の全体の信号レベルが低い場合には、全体として信号レベルが高められるので明るい画像とはなるが、階調が乱れて黒色側が浮いたようになり視覚に訴える画像画質が劣化するという問題がある。
【０００６】本発明は、前述したような有機ＥＬ素子を発光素子とする画像表示装置の画像表示の現状に鑑みてなされたものであり、その目的は、信号レベル分布が偏っている入力ビデオ信号に対しても、常に最適の視覚感触を与える高品質の画像表示が可能な画像表示装置を提供することにある。」
　
（ウ）「【０００７】
【課題を解決するための手段】前記目的を達成するために、請求項１記載の発明は、マトリクス状に配設される走査線とドライブ線の交点位置にそれぞれ配置される複数の有機ＥＬ素子からなる発光素子を備え、これらの発光素子によって入力ビデオ信号に対応する画像表示を行う画像表示装置において、前記入力ビデオ信号の１フィールド期間での信号レベルを検出し、検出信号レベルに基づいて、画像表示の条件を設定する基礎条件データを演算し、演算した基礎条件データを格納する基礎条件データ演算格納手段と、該基礎条件データ演算格納手段から読出した基礎条件データに基づいて、画像表示の信号レベルを設定する信号レベル設定手段と、前記基礎条件データ演算格納手段から読出した基礎条件データに基づいて、画像表示時の前記発光素子の発光時間を設定する発光時間設定手段と、前記信号レベル設定手段で設定される信号レベルの発光条件で、前記発光時間設定手段で設定される発光時間にわたり、前記発光素子を発光制御することにより、前記入力ビデオ信号に対応する画像表示を行う画像表示制御手段とを有することを特徴とするものである。
【０００８】このような手段によると、基礎条件データ演算格納手段により、入力ビデオ信号の１フィールド期間での信号レベルが検出され、検出信号レベルに基づき、画像表示の条件を設定する基礎条件データが演算され、演算された基礎条件データが格納され、信号レベル設定手段により、基礎条件データ演算格納手段から読出される入力ビデオ信号に対応する基礎条件データに基づき、表示画像の信号レベルが設定され、発光時間設定手段によって、基礎条件データ格納手段から読出される基礎条件データに基づいて、画像表示時の発光素子の発光時間が設定され、画像表示制御手段によって、信号レベル条件設定手段で設定される信号レベルの発光条件下で、発光時間設定手段で設定される発光時間にわたって、発光素子が発光制御されることにより、入力ビデオ信号に対応する画像表示が行われる。このように、入力ビデオ信号の信号レベル分布に対応して設定される信号レベルで、入力ビデオ信号の信号レベル分布に対応して設定される発光時間にわたって、発光素子の発光が行われることにより、入力ビデオ信号に適確に対応する画像表示が行われるので、入力ビデオ信号の信号レベルに偏りがある場合、例えば、全体の信号レベルが低いビデオ信号が入力された場合でも、黒浮きのない明るい画像表示が行われ、如何なる信号レベル分布の入力ビデオ信号に対しても、常に最適の視覚感触が得られる適確な画像表示が行われる。
【０００９】同様に前記目的を達成するために、請求項２記載の発明は、請求項１記載の発明において、前記基礎条件データが、前記検出信号レベルに基づき演算される最大信号レベル、最小信号レベル及び平均信号レベルであることを特徴とするものである。
【００１０】このような手段によると、基礎条件データ演算格納手段によって、基礎条件データとして、検出信号レベルに基づき演算される最大信号レベル、最小信号レベル及び平均信号レベルが基礎条件データとして格納され、これらの基礎条件データに基づいて、入力ビデオ信号に対する画像表示が行われることにより、請求項１記載の発明の作用が実行される。」
　
（エ）「【００１１】
【発明の実施の形態】以下に本発明の一実施の形態を、図１ないし図３を参照して説明する。図１は本実施の形態の全体構成を示すブロック図、図２は本実施の形態の要部の構成を示す説明図、図３は本実施の形態の動作を示す説明図である。
【００１２】本実施の形態では、図１に示すように、画像表示の対象となるビデオ信号Ｆｖが入力され、入力されるビデオ信号Ｆｖの信号レベルの測定が行われる映像信号レベル測定回路１と、入力されるビデオ信号Ｆｖに対して、画像表示前段の信号処理を行う映像信号処理回路３とが設けられ、映像信号レベル測定回路１の出力端子が、全体の動作を制御するＣＰＵ２の入力端子に接続され、ＣＰＵ２の第１の出力端子が映像信号処理回路３に接続されている。また、ＣＰＵ２の第２の出力端子は、表示パネルの画像表示動作を制御するパネル制御回路４に接続され、パネル制御回路４の出力端子は、画像表示が行われる表示パネル５の制御端子に接続され、映像信号処理回路３の出力端子は、表示パネル５の入力端子に接続されている。そして、本実施の形態では、ＣＰＵ２には、画像表示制御の基礎となる基礎条件データが格納される基礎条件データメモリが設けられ、さらに、基礎条件データに基づいて、表示画像の信号レベルを設定する信号レベル設定手段、基礎条件データに基づいて、発光素子の発光時間を設定する発光時間設定手段、及び画像表示動作の全体制御を行う画像表示制御手段が設けられている。
【００１３】図２に示すように、ＣＰＵ２で動作が制御される映像信号処理回路３においては、入力ビデオ信号ＦｖをＡＤ変換するＡＤコンバータ６の出力端子に、処理駆動信号を出力するドライバ７が接続され、ドライバ７の出力端子が、演算増幅器１１の反転入力端子に接続され、演算増幅器１１の出力端子は、トランジスタＴ０のベースに接続され、トランジスタＴ０のエミッタとアース間に抵抗Ｒ１が接続され、抵抗Ｒ１とトランジスタＴ０のエミッタとの接続点が演算増幅器１１の非反転入力端子に接続されている。また、ＣＰＵ２で動作が制御される表示パネル５においては、ＭＯＳトランジスタＴｒ１〜Ｔｒ４、コンデンサＣｓ及び有機ＥＬ素子１０が設けられ、ＭＯＳトランジスタＴｒ１のソースがトランジスタＴ０のコレクタに接続され、ＭＯＳトランジスタＴｒ１のドレインが、ＭＯＳトランジスタＴｒ２のソースと、ＭＯＳトランジスタＴｒ３のソースとに接続されている。そして、ＭＯＳトランジスタＴｒ２のドレインが、ＭＯＳトランジスタＴｒ３のゲート、ＭＯＳトランジスタＴｒ４のゲート、及びコンデンサＣｓの一極側に接続され、コンデンサＣｓの他極側が、ＭＯＳトランジスタＴｒ３のドレインとＭＯＳトランジスタＴｒ４のソースに接続され、ＭＯＳトランジスタＴｒ４のドレインとアース間に有機ＥＬ素子１０が接続されている。
【００１４】このような構成の本実施の形態の動作を説明する。本実施の形態では、表示パネル５への画像表示の対象となるビデオ信号Ｆｖが、映像信号レベル測定回路１に入力されると、ＣＰＵ２の指令によつて、映像信号レベル測定回路１では、１フィールド期間のビデオ信号Ｆｖの信号レベルが検出され、検出された信号レベルに基づいて、最大信号レベル、最小信号レベル及び平均信号レベルが、基礎条件データとして演算され、演算された基礎条件データはＣＰＵ２に転送されて基礎条件データメモリに格納される。
【００１５】入力ビデオ信号Ｆｖに対応する画像の表示パネル５への表示動作時には、ＣＰＵ２の指令によって、信号レベル設定手段が、基礎条件データメモリから読み出した最大信号レベルデータ、最小信号レベルデータ及び平均信号レベルデータに基づいて、入力ビデオ信号Ｆｖに対して、最適の視覚感触が得られる画像表示が行われる信号レベルが設定され、映像信号処理回路３では、設定された信号レベルが得られるように映像信号処理が行われ、入力ビデオ信号に対応する画素のビデオデータＤｖの信号レベルが設定されて表示パネル５に入力される。また、ＣＰＵ２の指令によって、発光時間設定手段が、基礎条件データメモリから読み出した最大信号レベル、最小信号レベル及び平均信号レベルに基づいて、表示パネル５に最適の視覚感触が得られる画像の表示が行われるように、有機ＥＬ素子１０の発光時間を設定し、パネル制御回路４からは、設定された発光時間にわたり有機ＥＬ素子１０を発光制御するように、スタートパルスＰｓとリセットパルスＰｒとが出力される。
【００１６】この場合、画像表示動作が開始されると、図２及び図３に示すように、スタートパルスＰｓがＭＯＳトランジスタＴｒ１のゲートに印加され、同時にリセットパルスＰｒがＭＯＳトランジスタＴｒ２のゲートに印加され、映像信号処理回路３の演算増幅器１１によって、入力ビデオ信号Ｆｖの有機ＥＬ素子１０に対応する画素のビデオデータＤｖの信号レベルが設定される。そして、信号レベルが設定されたビデオデータＤｖがソースに印加されるＭＯＳトランジスタＴｒ１がＯＮとなり、ＭＯＳトランジスタＴｒ１のＯＮによって、ゲートにリセットパルスＰｒが印加されるＭＯＳトランジスタＴｒ２がＯＮとなり、ＭＯＳトランジスタＴｒ３、Ｔｒ４のゲートにゲート電圧が印加されると共に、コンデンサＣｓの一極側に所定の電圧が印加される。
【００１７】このために、図３（ｂ）に示す充電時間Ｔ１の間、映像信号処理回路３で信号レベルが設定されたビデオデータＤｖに対応して、コンデンサＣｓに充電が行われ、次いでコンデンサＣｓの両極間電圧が、ＭＯＳトランジスタＴｒ４のゲート−ソース間に印加され、ＭＯＳトランジスタＴｒ４にドレイン電流ＩD が流れ、このドレイン電流ＩD が有機ＥＬ素子１０流れて有機ＥＬ素子１０が発光する。そして、図３に示すように、１フレームに対応する有機ＥＬ素子１０の最大点灯時間Ｔ３に対して、ＣＰＵ２の発光時間設定手段が設定した発光時間Ｔ２に達すると、パネル制御回路４からリセットパルスＰｒが、ＭＯＳトランジスタＴｒ２のゲートに印加され、有機ＥＬ素子１０の残存電荷が流出されて、有機ＥＬ素子１０の発光動作が停止され、有機発光素子１０は対応するビデオデータＤｖに対して、最適の視覚感触が得られる時間の間発光制御される。
【００１８】このようにして、本実施の形態によると、入力ビデオ信号Ｆｖの最大信号レベル、最小信号レベル、平均信号レベルが基礎条件データとしてＣＰＵ２に格納され、マトリクス状に配設される走査線とドライブ線の交点位置に配置される複数の有機発光素子１０のそれぞれが、入力ビデオ信号Ｆｖの画素のビデオデータＤｖに対するそれぞれの画素表示に際して、最適の視覚感触が得られるように、基礎条件データに基づいて設定される信号レベルと、発光時間とに基づき発光制御される。このために、如何なる信号レベル分布の入力ビデオ信号に対しても、常に最適の視覚感触が得られる適確で高品質の画像表示が行われ、入力ビデオ信号の信号レベルに偏りがある場合、例えば、入力ビデオ信号Ｆｖの全体の信号レベルが低く、暗いビデオ信号が入力された場合には、黒浮きのない明るい画像表示が行われ、常に最適の視覚感触が得られる適確で高品質の画像表示を行うことが可能になる。」
　
３−３　記載事項の検討と引用発明
（１）　引用刊行物における「【０００１】【発明の属する技術分野】本発明は、有機ＥＬ素子を発光素子とする表示パネルに、入力ビデオ信号に対応する画像の表示を行う画像表示装置に関する。」との記載と、「【０００７】【課題を解決するための手段】…、マトリクス状に配設される走査線とドライブ線の交点位置にそれぞれ配置される複数の有機ＥＬ素子からなる発光素子を備え、これらの発光素子によって入力ビデオ信号に対応する画像表示を行う画像表示装置において、…、前記発光素子を発光制御することにより、前記入力ビデオ信号に対応する画像表示を行う画像表示制御手段とを有する」との記載から、引用刊行物には、有機ＥＬ素子からなる発光素子がマトリックス状に配置された表示パネルを備える画像表示装置に画像表示を行う方法が開示されている。
　また、引用刊行物における「【００１３】…表示パネル５においては、ＭＯＳトランジスタＴｒ１〜Ｔｒ４、コンデンサＣｓ及び有機ＥＬ素子１０が設けられ、…」との記載と、「【００１７】…ビデオデータＤｖに対応して、コンデンサＣｓに充電が行われ、次いでコンデンサＣｓの両極間電圧が、ＭＯＳトランジスタＴｒ４のゲート−ソース間に印加され、ＭＯＳトランジスタＴｒ４にドレイン電流ＩD が流れ、このドレイン電流ＩD が有機ＥＬ素子１０流れて有機ＥＬ素子１０が発光する。」との記載から、ＭＯＳトランジスタＴｒ１〜Ｔｒ４、コンデンサＣｓは、有機ＥＬ素子１０の発光を制御する素子である。そして、有機ＥＬ素子からなる発光素子は、ＭＯＳトランジスタＴｒ１〜Ｔｒ４、コンデンサＣｓと共に画素を構成し、前記画素がマトリックス状に配置されて画像表示装置を構成することは、ＥＬ表示装置の技術分野における技術常識である。
　してみると、引用刊行物には、有機ＥＬ素子からなる発光素子を有する画素がマトリックス状に配置された表示パネルを備える画像表示装置に画像表示を行う方法が開示されている。
　
（２）　引用刊行物には、「【００１４】…、表示パネル５への画像表示の対象となるビデオ信号Ｆｖが、映像信号レベル測定回路１に入力されると、…、映像信号レベル測定回路１では、１フィールド期間のビデオ信号Ｆｖの信号レベルが検出され、検出された信号レベルに基づいて、最大信号レベル、最小信号レベル及び平均信号レベルが、基礎条件データとして演算され、…」との記載がある。検出された信号レベルに基づいて、基礎条件データとして演算される「最大信号レベル、最小信号レベル及び平均信号レベル」は、それぞれ、最大信号レベルデータ、最小信号レベルデータ及び平均信号レベルデータである。そうすると、引用刊行物には、前記記載から、映像信号レベル測定回路１は、表示パネルへの画像表示の対象となるビデオ信号Ｆｖを入力し、検出された１フィールド期間のビデオ信号Ｆｖの信号レベルに基づいて、最大信号レベルデータ、最小信号レベルデータ及び平均信号レベルデータを基礎条件データとして演算することが開示されている。
　
（３）　引用刊行物における「【００１５】入力ビデオ信号Ｆｖに対応する画像の表示パネル５への表示動作時には、ＣＰＵ２の指令によって、信号レベル設定手段が、基礎条件データメモリから読み出した最大信号レベルデータ、最小信号レベルデータ及び平均信号レベルデータに基づいて、入力ビデオ信号Ｆｖに対して、最適の視覚感触が得られる画像表示が行われる信号レベルが設定され、映像信号処理回路３では、設定された信号レベルが得られるように映像信号処理が行われ、入力ビデオ信号に対応する画素のビデオデータＤｖの信号レベルが設定されて表示パネル５に入力される。」との記載から、信号レベル設定手段は、最大信号レベルデータ、最小信号レベルデータ及び平均信号レベルデータに基づいて、入力ビデオ信号Ｆｖに対して、最適の視覚感触が得られる画像表示が行われる信号レベルを設定すること、映像信号処理回路３は、設定された信号レベルが得られるように映像信号処理が行われ、入力ビデオ信号に対応する画素のビデオデータＤｖの信号レベルを設定することが開示されている。
　
（４）　引用刊行物における「【００１４】…、映像信号レベル測定回路１では、１フィールド期間のビデオ信号Ｆｖの信号レベルが検出され、検出された信号レベルに基づいて、最大信号レベル、最小信号レベル及び平均信号レベルが、基礎条件データとして演算され、演算された基礎条件データはＣＰＵ２に転送されて基礎条件データメモリに格納される。【００１５】…、発光時間設定手段が、基礎条件データメモリから読み出した最大信号レベル、最小信号レベル及び平均信号レベルに基づいて、表示パネル５に最適の視覚感触が得られる画像の表示が行われるように、有機ＥＬ素子１０の発光時間を設定し、パネル制御回路４からは、設定された発光時間にわたり有機ＥＬ素子１０を発光制御するように、スタートパルスＰｓとリセットパルスＰｒとが出力される。」との記載から、発光時間設定手段は、最大信号レベルデータ、最小信号レベルデータ及び平均信号レベルデータに基づいて、表示パネル５に最適の視覚感触が得られる画像の表示が行われるように、有機ＥＬ素子１０の発光時間を設定すること、そして、パネル制御回路４は、設定された発光時間にわたり有機ＥＬ素子１０を発光制御するように、スタートパルスＰｓとリセットパルスＰｒとを出力することが開示されている。
　
（５）　引用刊行物における「【００１６】…、画像表示動作が開始されると、図２及び図３に示すように、スタートパルスＰｓがＭＯＳトランジスタＴｒ１のゲートに印加され、同時にリセットパルスＰｒがＭＯＳトランジスタＴｒ２のゲートに印加され、…。…信号レベルが設定されたビデオデータＤｖがソースに印加されるＭＯＳトランジスタＴｒ１がＯＮとなり、ＭＯＳトランジスタＴｒ１のＯＮによって、ゲートにリセットパルスＰｒが印加されるＭＯＳトランジスタＴｒ２がＯＮとなり、ＭＯＳトランジスタＴｒ３、Ｔｒ４のゲートにゲート電圧が印加されると共に、コンデンサＣｓの一極側に所定の電圧が印加される。
【００１７】このために、図３（ｂ）に示す充電時間Ｔ１の間、映像信号処理回路３で信号レベルが設定されたビデオデータＤｖに対応して、コンデンサＣｓに充電が行われ、次いでコンデンサＣｓの両極間電圧が、ＭＯＳトランジスタＴｒ４のゲート−ソース間に印加され、ＭＯＳトランジスタＴｒ４にドレイン電流ＩD が流れ、このドレイン電流ＩD が有機ＥＬ素子１０流れて有機ＥＬ素子１０が発光する。…、１フレームに対応する有機ＥＬ素子１０の最大点灯時間Ｔ３に対して、ＣＰＵ２の発光時間設定手段が設定した発光時間Ｔ２に達すると、パネル制御回路４からリセットパルスＰｒが、ＭＯＳトランジスタＴｒ２のゲートに印加され、有機ＥＬ素子１０の残存電荷が流出されて、有機ＥＬ素子１０の発光動作が停止され、有機発光素子１０は対応するビデオデータＤｖに対して、最適の視覚感触が得られる時間の間発光制御される。」との記載から、スタートパルスＰｓがＭＯＳトランジスタＴｒ１のゲートに印加され、同時にリセットパルスＰｒがＭＯＳトランジスタＴｒ２のゲートに印加されると、ドレイン電流ＩDが有機ＥＬ素子１０に流れて有機ＥＬ素子１０が発光すること、そして、１フレームに対応する有機ＥＬ素子１０の最大点灯時間Ｔ３に対して、ＣＰＵ２の発光時間設定手段が設定した発光時間Ｔ２に達すると、リセットパルスＰｒがＭＯＳトランジスタＴｒ２のゲートに印加され、有機ＥＬ素子１０の残存電荷が流出されて、有機ＥＬ素子１０の発光動作が停止することが開示されている。
　
（６）  以上のことから、引用刊行物には、以下の発明が開示されている。
「有機ＥＬ素子からなる発光素子を有する画素がマトリックス状に配置された表示パネルを備える画像表示装置に画像表示を行う方法であって、
　映像信号レベル測定回路１は、表示パネルへの画像表示の対象となるビデオ信号Ｆｖを入力し、検出された１フィールド期間のビデオ信号Ｆｖの信号レベルに基づいて、最大信号レベルデータ、最小信号レベルデータ及び平均信号レベルデータを基礎条件データとして演算し、
　信号レベル設定手段は、前記最大信号レベルデータ、最小信号レベルデータ及び平均信号レベルデータに基づいて、入力ビデオ信号Ｆｖに対して、最適の視覚感触が得られる画像表示が行われる信号レベルを設定し、
　映像信号処理回路３は、設定された信号レベルが得られるように映像信号処理が行われ、入力ビデオ信号に対応する画素のビデオデータＤｖの信号レベルを設定し、
　発光時間設定手段は、前記最大信号レベルデータ、最小信号レベルデータ及び平均信号レベルデータに基づいて、表示パネルに最適の視覚感触が得られる画像の表示が行われるように、有機ＥＬ素子１０の発光時間を設定し、
　パネル制御回路４は、設定された発光時間にわたり有機ＥＬ素子１０を発光制御するように、スタートパルスＰｓとリセットパルスＰｒとを出力し、
　スタートパルスＰｓがＭＯＳトランジスタＴｒ１のゲートに印加され、同時にリセットパルスＰｒがＭＯＳトランジスタＴｒ２のゲートに印加されると、ドレイン電流ＩD が有機ＥＬ素子１０に流れて有機ＥＬ素子１０が発光し、
　１フレームに対応する有機ＥＬ素子１０の最大点灯時間Ｔ３に対して、ＣＰＵ２の発光時間設定手段が設定した発光時間Ｔ２に達すると、リセットパルスＰｒがＭＯＳトランジスタＴｒ２のゲートに印加され、有機ＥＬ素子１０の発光動作が停止する、
　画像表示装置に画像表示を行う方法。」（以下「引用発明」という。）
　
３−４　対比
　本願補正発明と引用発明とを対比する。
（１）　本願補正発明の「ＥＬ素子を有する画素がマトリックス状に配置された表示画面を有するＥＬ表示装置の駆動方法」と、引用発明の「有機ＥＬ素子からなる発光素子を有する画素がマトリックス状に配置された表示パネルを備える画像表示装置に画像表示を行う方法」を比較する。
　引用発明の「有機ＥＬ素子からなる発光素子」は、本願補正発明の「ＥＬ素子」に相当する。また、引用発明の画像表示装置が備える「画素がマトリックス状に配置された表示パネル」の表示面は、本願補正発明の「画素がマトリックス状に配置された表示画面」に相当する。さらに、引用発明の「画像表示装置」は、発光素子として「有機ＥＬ素子」を有しているから、本願補正発明の「ＥＬ表示装置」に相当し、引用発明の「画像表示を行う方法」は、本願補正発明の「駆動方法」に相当する。
　してみると、引用発明の「有機ＥＬ素子からなる発光素子を有する画素がマトリックス状に配置された表示パネルを備える画像表示装置に画像表示を行う方法」は、本願補正発明の「ＥＬ素子を有する画素がマトリックス状に配置された表示画面を有するＥＬ表示装置の駆動方法」に相当する。
　
（２）　本願補正発明の「前記ＥＬ表示装置の前記画素に印加する信号を発生させる画像データを前記画素の色で重み付けして用いて点灯率を求め」と、引用発明の「映像信号レベル測定回路１は、表示パネルへの画像表示の対象となるビデオ信号Ｆｖを入力し、検出された１フィールド期間のビデオ信号Ｆｖの信号レベルに基づいて、最大信号レベルデータ、最小信号レベルデータ及び平均信号レベルデータを基礎条件データとして演算し」を比較する。
（２−１）　はじめに、本願補正発明の「前記ＥＬ表示装置の前記画素に印加する信号を発生させる画像データ」と、引用発明の「表示パネルへの画像表示の対象となるビデオ信号Ｆｖ」を比較する。
　引用発明の「表示パネル」は、「画像表示装置」が備える「表示パネル」であって、「有機ＥＬ素子からなる発光素子を有する画素がマトリックス状に配置された表示パネル」であるところ、表示パネルの画素に信号を印加して画像を表示することは、画像表示装置の技術分野における技術常識である。そうすると、引用発明における「表示パネルへの画像表示の対象となるビデオ信号Ｆｖ」は、表示パネルの画素に印加する信号を発生させる信号（データ）と言える。してみると、引用発明の「表示パネルへの画像表示の対象となるビデオ信号Ｆｖ」は、本願補正発明の「前記ＥＬ表示装置の前記画素に印加する信号を発生させる画像データ」に相当する。
（２−２）　次に、本願補正発明の「点灯率」と引用発明の「平均信号レベル」とを比較する。本願補正発明の「点灯率」は画像データを用いて求める特性値であり、引用発明の「平均信号レベル」は、ビデオ信号Ｆｖの信号レベルを演算して求める特性値である。ここで、上記（２−１）で検討したビデオ信号Ｆｖと画像データの相当関係を考慮すると、両者は、画像データから求める「特性値」である点で共通する。
（２−３）　そうすると、本願補正発明の「前記ＥＬ表示装置の前記画素に印加する信号を発生させる画像データを前記画素の色で重み付けして用いて点灯率を求め」と、引用発明の「映像信号レベル測定回路１は、表示パネルへの画像表示の対象となるビデオ信号Ｆｖを入力し、検出された１フィールド期間のビデオ信号Ｆｖの信号レベルに基づいて、最大信号レベルデータ、最小信号レベルデータ及び平均信号レベルデータを基礎条件データとして演算し」は、「前記ＥＬ表示装置の前記画素に印加する信号を発生させる画像データを用いて特性値を求め」る点で共通する。
　
（３）　本願補正発明の「前記点灯率に対応させて、１フレーム期間における前記ＥＬ素子に電流が流れる時間を変化させ、前記１フレーム期間における前記ＥＬ素子に電流が流れる第１の時間から、１フレーム期間における前記ＥＬ素子に電流が流れる第２の時間に変化させるとき、１フレーム期間における前記ＥＬ素子に電流が流れる時間として、前記第１の時間と前記第２の時間との間にある時間を経由する」と、引用発明の「発光時間設定手段は、前記最大信号レベルデータ、最小信号レベルデータ及び平均信号レベルデータに基づいて、表示パネルに最適の視覚感触が得られる画像の表示が行われるように、有機ＥＬ素子１０の発光時間を設定し、
　パネル制御回路４は、設定された発光時間にわたり有機ＥＬ素子１０を発光制御するように、スタートパルスＰｓとリセットパルスＰｒとを出力し、
　スタートパルスＰｓがＭＯＳトランジスタＴｒ１のゲートに印加され、同時にリセットパルスＰｒがＭＯＳトランジスタＴｒ２のゲートに印加されると、ドレイン電流ＩD が有機ＥＬ素子１０に流れて有機ＥＬ素子１０が発光し、
　１フレームに対応する有機ＥＬ素子１０の最大点灯時間Ｔ３に対して、ＣＰＵ２の発光時間設定手段が設定した発光時間Ｔ２に達すると、リセットパルスＰｒがＭＯＳトランジスタＴｒ２のゲートに印加され、有機ＥＬ素子１０の発光動作が停止する」とを比較する。
　引用発明は、「発光時間設定手段は、…平均信号レベルデータに基づいて、…、有機ＥＬ素子１０の発光時間を設定し、」「１フレームに対応する有機ＥＬ素子１０の最大点灯時間Ｔ３に対して、ＣＰＵ２の発光時間設定手段が設定した発光時間Ｔ２に達すると、…、有機ＥＬ素子１０の発光動作が停止する」のであるから、「発光時間設定手段」が設定する「有機ＥＬ素子１０の発光時間」は、１フレーム期間における有機ＥＬ素子１０の発光時間である。
　また、有機ＥＬ素子は、電流が流れる時間は発光し、電流が流れなくなると発光が停止する素子であることは、ＥＬ表示装置の技術分野における技術常識であるから、有機ＥＬ素子の発光時間は、有機ＥＬ素子に電流が流れる時間といえる。
　さらに、本願補正発明の「点灯率」と引用発明の「平均信号レベル」は、上記（２−２）のとおり、画像データから求める「特性値」である点で共通する。
　したがって、本願補正発明の「前記点灯率に対応させて、１フレーム期間における前記ＥＬ素子に電流が流れる時間を変化させ、前記１フレーム期間における前記ＥＬ素子に電流が流れる第１の時間から、１フレーム期間における前記ＥＬ素子に電流が流れる第２の時間に変化させるとき、１フレーム期間における前記ＥＬ素子に電流が流れる時間として、前記第１の時間と前記第２の時間との間にある時間を経由する」と、引用発明の「発光時間設定手段は、前記最大信号レベルデータ、最小信号レベルデータ及び平均信号レベルデータに基づいて、表示パネルに最適の視覚感触が得られる画像の表示が行われるように、有機ＥＬ素子１０の発光時間を設定し、
　パネル制御回路４は、設定された発光時間にわたり有機ＥＬ素子１０を発光制御するように、スタートパルスＰｓとリセットパルスＰｒとを出力し、
　スタートパルスＰｓがＭＯＳトランジスタＴｒ１のゲートに印加され、同時にリセットパルスＰｒがＭＯＳトランジスタＴｒ２のゲートに印加されると、ドレイン電流ＩD が有機ＥＬ素子１０に流れて有機ＥＬ素子１０が発光し、
　１フレームに対応する有機ＥＬ素子１０の最大点灯時間Ｔ３に対して、ＣＰＵ２の発光時間設定手段が設定した発光時間Ｔ２に達すると、リセットパルスＰｒがＭＯＳトランジスタＴｒ２のゲートに印加され、有機ＥＬ素子１０の発光動作が停止する」とは、前記特性値に対応させて、１フレーム期間における前記ＥＬ素子に電流が流れる時間を変化させる点で共通する。
　
　してみると、本願補正発明と引用発明とは、
「ＥＬ素子を有する画素がマトリックス状に配置された表示画面を有するＥＬ表示装置の駆動方法であって、
　前記ＥＬ表示装置の前記画素に印加する信号を発生させる画像データを用いて特性値を求め、
　前記特性値に対応させて、１フレーム期間における前記ＥＬ素子に電流が流れる時間を変化させることを特徴とする、ＥＬ表示装置の駆動方法。」
の点で一致し、以下の２点で相違する。
（相違点１）
　１フレーム期間におけるＥＬ素子に電流が流れる時間を変化させる際に用いる特性値が、本願補正発明では、「画像データを前記画素の色で重み付けして用いて」求める「点灯率」であるのに対し、引用発明では、平均信号レベルである点。
（相違点２）
　「前記１フレーム期間における前記ＥＬ素子に電流が流れる第１の時間から、１フレーム期間における前記ＥＬ素子に電流が流れる第２の時間に変化させるとき」、本願補正発明では、「１フレーム期間における前記ＥＬ素子に電流が流れる時間として、前記第１の時間と前記第２の時間との間にある時間を経由する」のに対し、引用発明では、そのような特定がなされていない点。
　
３−５　判断
　以下、上記相違点について検討する。
３−５−１　（相違点１）について
（１）　本願補正発明の「点灯率」は、その技術的意味が必ずしも明らかではないので、本願明細書の記載を参酌する。
（１−１）　本願明細書の発明の詳細な説明には、以下の記載がある。（当審注：下線は、当審が付した。）
　
ア　「【０８７７】本明細書において、点灯率に応じてｄｕｔｙ比制御などを変化させるとして説明する。しかし、
点灯率とは、一定の意味ではない
低点灯率とは、画面１４４に流れる電流が小さいことを意味しているが、画像を構成する低階調表示の画素が多いことも意味する
　
イ「【１２６７】携帯装置などのモバイル機器に用いる場合は、電池などの容量に制限がある。また、電源回路も消費される電流が大きくなると規模が大きくなる。したがって、消費する電流にはリミットを設ける必要がある。このリミットを設けること（ピーク電流抑制）が本発明の１つの目的である。
【１２６８】画像がコントラストを大きくすることにより、表示が良好になる。めりはりのあるように画像（ダイナックレンジが広い、コントラスト比が高い、階調表現力が大きいなど）変換して画像を表示することにより表示が良好になる。以上のように画像表示を良好にすることが本発明の２つめの目的である。以上の目的を実現する本発明をＡＩ駆動と呼ぶことにする。
【１２６９】説明を容易にするために、本発明のＩＣチップ１４は６４階調表示であるとする。ＡＩ駆動を実現するためには、階調表現範囲を拡大することが望ましい。説明を容易にするために、本発明のソースドライバ回路（ＩＣ）１４は６４階調表示とし、画像データは２５６階調とする。この画像データをＥＬ表示装置のガンマ特性に適合するように、ガンマ変換を行う。ガンマ変換は入力２５６階調を１０２４階調に拡大することによって実施する。ガンマ変換された画像データは、ソースドライバＩＣ１４の６４階調に適合するように、誤差拡散処理あるいはフレームレートコントロール（ＦＲＣ）処理が行われ、ソースドライバＩＣ１４に印加される。
【１２７０】１画面の画像データが全体的に大きいときは画像データの総和は大きくなる。たとえば、白ラスターは６４階調表示の場合は画像データとしては６３であるから、表示画面１４４の画素数×６３が画像データの総和である。
１／１００の白ウインドウ表示で、白表示部が最大輝度の白表示では、表示画面１４４の画素数×（１／１００）×６３が画像データの総和である
【１２７１】本発明では画像データの総和あるいは画面の消費電流量を予測できる値を求め、この総和あるいは値により、ｄｕｔｙ比制御あるいは基準電流制御を行う。
【１２７２】なお、
画像データの総和を求めるとしたが、これに限定するものではない。たとえば、画像データの１フレームの平均レベルを求めてこれを用いてもよい
　
ウ「【１３１７】一例として点灯率（点灯率）は、映像データの和から求める。つまり、映像データから算出する。入力映像信号がＹ、Ｕ、Ｖの場合は、Ｙ（輝度）信号から求めても良い。しかし、ＥＬ表示パネルの場合は、Ｒ、Ｇ、Ｂで発光効率が異なるため、Ｙ信号から求めた値が消費電力にならない。したがって、Ｙ、Ｕ、Ｖ信号の場合も、一度Ｒ、Ｇ、Ｂ信号に変換し、Ｒ、Ｇ、Ｂに応じて電流に換算する係数をかけて、消費電流（消費電力）を求めることが好ましい。しかし、簡易的にＹ信号から消費電流を求めることは回路処理が容易になることも考慮してもよい。
【１３１８】点灯率は、パネルに流れる電流で換算されているものであるとする。なぜなら、ＥＬ表示パネルではＢの発光効率が悪いため、海の表示などが表示されると、消費電力が一気に増加するからである。したがって、最大値は、電源容量の最大値である。また、データ和とは単純な映像データの加算値ではなく、映像データを消費電流に換算したものとしている。したがって、点灯率も最大電流に対する各画像の使用電流から求められたものである。」
　
エ「【１３４６】以上の実施例において、変化前ｄｕｔｙ比と変化後ｄｕｔｙ比を基準にして説明した。変化前ｄｕｔｙ比と変化後ｄｕｔｙ比との差が大きい時はＷａｉｔ時間を長くとる必要があることはいうまでもない。また、
ｄｕｔｙ比の差が大きい時は、中間状態のｄｕｔｙ比を経由して変化後ｄｕｔｙ比に変化させることが良好であることは言うまでもない
【１３４７】本発明のｄｕｔｙ比制御方法は、変化前ｄｕｔｙ比と変化後ｄｕｔｙ比との差が大きい時はＷａｉｔ時間を長くとる駆動方法である。つまり、ｄｕｔｙ比の差に応じてＷａｉｔ時間を変化させる駆動方法である。また、ｄｕｔｙ比の差が大きい時にＷａｉｔ時間を長くとる駆動方法である。
【１３４８】本発明のｄｕｔｙ比の方法は、ｄｕｔｙ比の差が大きい時は、中間状態のｄｕｔｙ比を経由して変化後ｄｕｔｙ比に変化させることを特徴とする駆動方法である。
【１３５０】
以下の説明では、最大値とは白ラスターの画像データの加算値とした
最大値は画像データの加算処理
で発生する最大値である。
点灯率とは、処理を行う画面の画像データの最大値に対する割合である。
【１３５１】ただし、
データ和とは、１画面のデータを正確に加算することを必要としない。１画面をサンプリングした画素のデータの加算値から１画面の加算値を推定（予測）したものでもよい。
複数フィールドあるいは複数フレームからの予測値あるいは推定値でもよい。
映像データをローパスフィルタ回路によりＡＰＬレベルを求めて、このＡＰＬレベルをデータ和としてもよい。
【１３５２】
データ和は表示パネルの消費電流で算定するか、輝度で算定するかはどちらでもよい
【１３５３】図９９は横軸を点灯率としている。最大値は１００％である。縦軸はｄｕｔｙ比である。点灯率＝１００％は、全画素行が最大の白表示状態である。点灯率が小さい時は、暗い画面あるいは表示（点灯）領域が少ない画面である。」
　
（１−２）記載事項の検討
　上記【１３５０】には、「最大値は画像データの加算処理…で発生する最大値である。…、点灯率とは、処理を行う画面の画像データの最大値に対する割合である。」との記載がある。ここで、「最大値は画像データの加算処理…で発生する最大値である。」との記載から、最大値は、１画面の画像データの加算値の最大値を意味するものである。そうすると、点灯率は、処理を行う画面の画像データの加算値の、１画面の画像データの加算値の最大値に対する割合を意味し、数式で記載すると、
　点灯率＝（処理を行う画面の画像データの加算値）／（１画面の画像データの加算値の最大値）
であることが読み取れる。
　また、「【１３５２】データ和は表示パネルの消費電流で算定するか、輝度で算定するかはどちらでもよい。ここでは説明を容易にするため、輝度（画像データ）の加算であるとして説明をする。」との記載から、点灯率を求める際の「画像データの加算値」として、消費電流で算定した加算値、あるいは輝度で算定した加算値の何れを使用しても良いことが開示されている。（上記以外にも、【１３５１】には、サンプリング値、推定値、実測値を用いても良いことが開示されている。）
　してみると、本願明細書には、「点灯率」として、少なくとも
　点灯率＝（処理を行う画面の画像データの加算値）／（１画面の画像データの加算値の最大値）・・・（Ａ）
　点灯率＝（処理を行う画面の画像データから算定した消費電流の加算値）／（１画面の画像データから算定した消費電流の加算値の最大値）・・・（Ｂ）
　点灯率＝（処理を行う画面の画像データから算定した輝度の加算値）／（１画面の画像データから算定した輝度の加算値の最大値）・・・（Ｃ）
が記載されている。
　ところで、【０８７７】には「点灯率とは、一定の意味ではない。たとえば、低点灯率とは、画面１４４に流れる電流が小さいことを意味しているが、画像を構成する低階調表示の画素が多いことも意味する。」と記載されている。ここで、画面に流れる電流が小さくなれば、一般に、低階調表示の画素が多くなり、画面に流れる電流値と画像の階調分布状態の間には相関がある（例えば、本願の明細書にも「【１２５３】…。ＥＬ素子１５に流れる電流と発光輝度はリニアに比例する。」との記載がある。）から、「点灯率」が前記２つの意味を有するとしても技術的に矛盾するものではない。そうすると、本願明細における「点灯率」の用語は、画像の階調に関連する狭い意味での特性値と解したり、消費電流に関連する狭い意味での特性値と解するのではなく、これらを包含する広い概念の意味として解するのが妥当である。このことは、上記（Ａ）〜（Ｃ）の如く、「点灯率」の算出方法として、画像データ、電流、輝度など複数の算出方法を開示していることとも合致する。
　したがって、本願明細書には、点灯率の意味として、画像の階調に関連する意味、消費電流に関連する意味等を含む広い概念の意味が開示されており、具体的には、
　点灯率＝（処理を行う画面の画像データの加算値）／（１画面の画像データの加算値の最大値）・・・（Ａ）
　点灯率＝（処理を行う画面の画像データから算定した消費電流の加算値）／（１画面の画像データから算定した消費電流の加算値の最大値）・・・（Ｂ）
　点灯率＝（処理を行う画面の画像データから算定した輝度の加算値）／（１画面の画像データから算定した輝度の加算値の最大値）・・・（Ｃ）
を含む意味であることが、少なくとも開示されている。
　
（２）そこで、本願補正発明の「点灯率」の意味を、上記（Ａ）の意味に解して、以下、検討する。
　本願補正発明の「点灯率」は、上記（Ａ）の意味に解するから、
点灯率＝（処理を行う画面の画像データの加算値）／（１画面の画像データの加算値の最大値）
で算定される。ここで、1画面が（ｍ×ｎ）個の画素で構成され、各画素の画像データの値をＡij（１≦ｉ≦ｍ、１≦ｊ≦ｎ）、各画素の画像データの値の最大値をAmaxとすると、
　（処理を行う画面の画像データの加算値）＝ΣＡij
　（１画面の画像データの加算値の最大値）＝Ａmax×（ｍ×ｎ）
であるから、
　点灯率＝ΣＡij／（Ａmax×ｍ×ｎ）
であり、変形すると、
　点灯率＝（ΣＡij／（ｍ×ｎ））／Ａmax
である。右辺の（ΣＡij／（ｍ×ｎ））は、1画面の画像データの合計値を１画面の画素数で除した値であるから、１画面の画像データの平均値、すなわち、平均信号レベルである。したがって、点灯率は、平均信号レベルの各画素の画像データの値の最大値に対する割合ということができる。
　ところで、画像データの値の最大値は、画像データの階調数に応じて決まる定数である（例えば、例えば６４階調の画像データは、０〜６３の値を有するから、その最大値は６３という定数である。）。そうすると、１フレーム期間におけるＥＬ素子に電流が流れる時間を変化させる値として用いる特性値として、「点灯率」を用いるか、あるいは「平均信号レベル」を用いるかの差異は、「平均信号レベル」を定数である画像データの値の最大値で除した値を用いるか、あるいは、「平均信号レベル」を用いるかの差異にすぎない。そうすると、引用発明において、１フレーム期間におけるＥＬ素子に電流が流れる時間を変化させる値として用いる特性値として、「平均信号レベル」に代えて「平均信号レベル」を画像データの値の最大値で除した値、すなわち「点灯率」を用いることに困難性は無い。
　また、Ｒ、Ｇ、Ｂで視感度が異なることは、表示装置の技術分野における技術常識であり、平均信号レベルを算出する際、画像データを色に応じて重み付けして用いることは、例えば、特開２００１−３４３９４９号公報（【００２３】参照）、特開２００１−３４６２１９号公報（【００２５】、【００２６】参照）、特開２００２−０９９２５０号公報（【００３６】参照）に記載されるよう周知技術である。そして、引用刊行物には、カラー表示を含む旨の明確な記載はないものの、カラー表示を行う表示装置が周知のものであることを考慮すると、引用発明はカラーの表示装置を実質的に含んでおり、引用発明に於いて平均信号レベルを求める際、色による視感度の差異を考慮し、画像データを色に応じて重み付けして用い、相違点１に係る構成となすことは、当業者が容易に想到しうることである。
　請求人は、回答書において、上記周知の刊行物はプロジェクタに関する技術であるから、技術分野が相違する旨主張する。しかしながら、平均輝度を算出する際にＲ、Ｇ、Ｂの視感度を考慮することは、カラーの表示装置に共通する技術であるから、ＥＬ表示装置とプロジェクタの技術分野が相違する旨の主張は採用できない。
　
３−５−２　（相違点２）について
　発光時間を変更して輝度を変える際、視覚的な違和感が生じないよう平均輝度のフレーム間の変化を小さくすることは、例えば、特開２０００−２５０４６３号公報（【００３０】〜【００３６】等参照。輝度の急激な変化に対して過敏に反応しないように、平均輝度のフレーム間の変化をゆっくりとすることが開示されている。）、特開２０００−３３０５０５号公報（【００２７】、【００３９】等参照。更新された平均輝度に対して、ある設定時間を持って、その平均輝度データ信号に近づけて行くことが開示されている。）に記載されるよう周知技術である。そして、輝度の急激な変化を防止する等の視認性を向上させる技術課題は、表示装置の技術分野における一般的課題であり、また、1フレーム期間におけるＥＬ素子に流れる時間を変えることで輝度が変わることは技術常識であるから、引用発明に上記周知技術を採用し、上記相違点２に係る発明特定事項となすことに困難性は無い。
　請求人は、回答書において、上記周知技術に関し、マルチ電子ビーム源を用いた表示装置や、プラズマディスプレイは技術分野が異なる旨主張する。しかしながら、視覚的に違和感がないよう輝度を制御する技術は、ＥＬ表示装置に限るものではなく、ＦＥＤ（フィールドエミッションディスプレイ）、ＳＥＤ、プラズマディスプレイなど、発光表示する表示装置に共通する技術である。また、本願明細書の発明の詳細な説明に於いて、「【２６０７】ｄｕｔｙ比制御駆動、基準電流制御、Ｎ倍パルス駆動、ソースドライバ回路（ＩＣ）、ゲートドライバ構成など本明細書で記載した本発明の駆動方法および駆動回路などは、
有機ＥＬ表示パネルの駆動方法および駆動回路などに限定されるものではない。
フィールドエミッションディスプレイ（ＦＥＤ）、ＳＥＤ（キャノンと東芝が開発したディスプレイ）などの他のディスプレイにも適用できることは言うまでもない
　
　そして、本願補正発明が奏する作用効果も、引用発明と上記周知技術に基づいて当業者が容易に予測しうる程度のものであって、格別のものとは認められない。
　
３−５−３　審判請求人の主張に対して
（１）　審判請求人は、平成２２年６月８日付け回答書（ｄ−２）に於いて、引用刊行物に記載の発明は、常に最適の視覚感触を与えることを目的とする発明であって本願補正発明とは発明の目的が相違する旨を、また、本願補正発明は、パネルの過熱による劣化を抑制する等の作用効果を奏する旨を主張するので、以下、検討する。
　引用刊行物には、【発明が解決しようとする課題】の欄に、「【０００４】…従来の方法では、入力ビデオ信号の信号レベルを検出し、検出レベルに対応して表示に最適な信号レベルを予め設定しておき、該信号レベルで画像表示に使用する薄膜有機ＥＬ素子を、所定時間の間発光させることにより画像表示を行っていた。【０００５】この従来の階調表示の方法では、…、信号レベルが偏っている場合、例えば、入力ビデオ信号の全体の信号レベルが低い場合には、全体として信号レベルが高められるので明るい画像とはなるが、階調が乱れて黒色側が浮いたようになり視覚に訴える画像画質が劣化するという問題がある。【０００６】本発明は、前述したような有機ＥＬ素子を発光素子とする画像表示装置の画像表示の現状に鑑みてなされたものであり、その目的は、信号レベル分布が偏っている入力ビデオ信号に対しても、常に最適の視覚感触を与える高品質の画像表示が可能な画像表示装置を提供することにある。」との記載がある。引用刊行物の該記載からは、入力信号レベル分布が偏っている場合、黒色側が浮いたような画像表示になる問題があること、そして、前記問題を解決することを目的とすることが開示されている。
　一方、本願明細書には、以下の事項が記載されている。（下線は、当審で付加した。）
「【０９０４】Ｖｇｌ２は、ｄｕｔｙ比制御において変化させることも好ましい。ｄｕｔｙ比は基準電流の変更と同時に実施することが多い。たとえば、図１１６において、点灯率が２０％以下の範囲において、ｄｕｔｙ比を小さくする（画面１４４に占める非点灯領域１９２の割合を多くする）と伴に、基準電流比を大きくしている（１階調あたりのプログラム電流Ｉｗを大きくする）。
ｄｕｔｙ比
と基準電流比
を同時に制御することにより
黒浮きの課題を解決することができる
【０９０５】図１１６の駆動方法では、ｄｕｔｙ比×基準電流比＝一定の駆動方法であるため、ｄｕｔｙ比の低下に伴い、アノード端子を流れる電流が増加します。したがって、アノードおよびカソード電圧が一定の固定制御であるならは、トランジスタ１１ｄはオン抵抗を低くする必要があるため、Ｖｇｌ２を低くしてオン抵抗を低くする必要がある。
【０９０６】以上のことから、図３１８に図示するように、ｄｕｔｙ比の変化に対応してＶｇｌ２電圧を変化させることが好ましい。図３１８ではｄｕｔｙ比が１／１〜１／２の範囲では、Ｖｇｌ２＝０Ｖとしている。したがって、トランジスタ１１ｄのオン抵抗が比較的高く、トランジスタ１１ｂのリークなどが発生しにくい。そのため、黒浮きの発生を抑制できる。ｄｕｔｙ比が１／４以下の範囲では、Ｖｇｌ２＝−８Ｖとしている。したがって、トランジスタ１１ｄのオン抵抗が低く、駆動用トランジスタ１１ａに十分なプログラム電流を流すことができ、ＥＬ素子１５も飽和領域で良好に点灯させるができる。ｄｕｔｙ比が１／４〜１／２の範囲では、Ｖｇｌ２を−８〜０Ｖの範囲でｄｕｔｙ比あるいは基準電流比に応じて変化させる。
【０９０７】
以上の事項は、本発明の他の実施例でも同様に適用することができることは言うまでもない。また、他の実施例と組み合わせることができることは言うまでもない
　本願明細書の上記記載事項によれば、黒浮きの課題（引用刊行物における「黒色側が浮いたような画像表示になる問題」）を解決することも、本願補正発明の目的の一つであると解される。
　そうすると、本願の明細書の発明の詳細な説明に、上記黒浮きの課題が記載されているから、本願明細書の他の箇所にパネルの発熱や劣化に関する作用効果の記載があるとしても、本願補正発明の目的や作用効果をパネルの発熱や劣化防止に限定して解釈することはできない。
　したがって、審判請求人の上記主張は採用できない。
　
（２）また、審判請求人は、平成２２年６月８日付け回答書（ｅ）に於いて、本願明細書の【１３１１】の記載を根拠として、「『点灯率』とは、『前記表示画面の最大電流に対する割合である点灯率』のことです。」と主張する。しかしながら、上記「３−２−５」（相違点１）の判断の（１−２）に記載したとおり、本願明細書における「点灯率」は、少なくとも
　点灯率＝（処理を行う画面の画像データの加算値）／（１画面の画像データの加算値の最大値）・・・（Ａ）
　点灯率＝（処理を行う画面の画像データから算定した消費電流の加算値）／（１画面の画像データから算定した消費電流の加算値の最大値）・・・（Ｂ）
　点灯率＝（処理を行う画面の画像データから算定した輝度の加算値）／（１画面の画像データから算定した輝度の加算値の最大値）・・・（Ｃ）
を包含する広い概念のものである。そうすると、上記（Ｂ）の意味に限定して解すべきとの審判請求人の主張は、根拠がなく採用できない。
　
（３）予備的判断
　念のため、審判請求人が主張するよう、「点灯率」を「前記表示画面の最大電流に対する割合」の意味、すなわち上記（Ｂ）に解した場合について、以下、検討する。
　ＥＬ表示装置等の画像表示装置において、画像表示装置の画素に印加する信号を発生させる画像データ、画像表示装置の画素や表示パネルに流れる電流、画像表示装置の画素の輝度や表示画面の平均輝度が、互いに関連する値であること（例えば、画像データが大きくなれば、画素やパネルに流れる電流が大きくなり、画素の輝度や表示画面の平均輝度が高くなること）は、画像表示装置の技術分野における技術常識であるから、画像表示装置に係る特性値を算出する値として、画像データと関連する値である、直接的あるいは間接的に検出した画像表示装置の画素やパネルに流れる電流、画像表示装置の画素の輝度や表示画面の平均輝度を用いて算出することは周知技術である（例えば、特開２０００−２２１９４５号公報には、「【００１９】…。パネル９に表示される映像の平均輝度を検出する方法としては、入力された映像信号の平均輝度レベルを検出する第１の方法、パネル９の各画素に流れる素子電流の平均レベルを検出する第２の方法、パネル９に印加する高圧電流を検出する第３の方法等がある。平均輝度の検出方法は、直接的もしくは間接的に検出する任意の方法でよい。」との記載参照。）。
　そして、引用発明の「平均信号レベル」の算出するにあたり、上記周知技術を参酌し、画像データから間接的に表示パネルに流れる電流を検出し、表示パネル（表示画面）に流れる最大電流に対する割合を算出して「平均信号レベル」を導出することも、当業者が容易に想到しうることである。
　そうすると、審判請求人が主張するよう、「点灯率」を「前記表示画面の最大電流に対する割合」の意味に解したとしても、そのことによって進歩性を認めることはできない。
　
３−６　独立特許要件についてのむすび
　以上のとおり、本願補正発明は、引用発明と周知技術に基いて当業者が容易に発明をすることができたものであるから、特許法第２９条第２項の規定により、特許出願の際独立して特許を受けることができないものである。
　
４　本件補正についてのむすび
　したがって、本件補正は，平成１８年改正前特許法第１７条の２第５項で準用する同法第１２６条第５項の規定に違反するものであり，同法第１５９条第１項で読み替えて準用する同法第５３条第１項の規定により却下されるべきものである。
　
第３　本願発明について
１　本願発明
　本件補正は上記のとおり却下されたので，本願の請求項１〜１２に係る発明は、平成１９年１０月２６日付け手続補正書の特許請求の範囲の請求項１〜１２に記載された事項により特定されるとおりのものであるところ、請求項１に係る記載は以下のとおりである。
「　ＥＬ素子を有する画素がマトリックス状に配置された表示画面を有するＥＬ表示装置の駆動方法であって、
　前記ＥＬ表示装置の前記画素に印加する信号を発生させる画像データを用いて点灯率を求め、
　前記点灯率に対応させて、ｄｕｔｙ比を変化させることを特徴とするＥＬ表示装置の駆動方法。」（以下「本願発明」という。）
　
２　引用例
　原査定の拒絶の理由に引用され、本願の最先の優先日（２００３年５月７日）前に頒布された刊行物である特開２００２−１８２６１２号公報の記載事項と、該刊行物に記載された引用発明は、上記「第２　３−２」、「第２　３−３」に記載のとおりである。
　
３　対比・判断
　本願発明の「ｄｕｔｙ比」と、本願補正発明の「１フレーム期間における前記ＥＬ素子に電流が流れる時間」とは、技術的に実質的な差異はないから、本願発明は、上記「第２」で検討した本願補正発明から、「前記画素の色で重み付けして」用いる旨の限定と、「前記１フレーム期間における前記Ｅ
Ｌ素子に電流が流れる第１の時間から、１フレーム期間における前記ＥＬ素子に電流が流れる第２の時間に変化させるとき、１フレーム期間における前記ＥＬ素子に電流が流れる時間として、前記第１の時間と前記第２の時間との間にある時間を経由す」る旨の限定を解除したものに相当する。
　そうすると、本願発明の構成要件をすべて含み、更に他の要件を付加したものに相当する本願補正発明が上記「第２」に記載したとおり、引用発明と周知技術とに基いて当業者が容易に発明をすることができたものであるから、本願発明も、同様の理由により、引用発明と周知技術とに基いて当業者が容易に発明することができたものである。
　
４　むすび
　以上のとおり、本願の請求項１に係る発明は、特許法第２９条第２項の規定により特許を受けることができないものである。
　したがって、その余の請求項について検討するまでもなく、本願は拒絶すべきものである。
　
　よって、結論のとおり審決する。